(57)【要約】【課題】表示画素を構成する電子放出素子および蛍光体を含む各種構成要素のエージングを短時間に効率良く実施することのできるエージング装置およびエージング方法を提供する。【解決手段】電源制御部６は、出荷前の表示パネル１に対して走査線駆動部３から走査線Ｙに出力させる駆動電圧印加回数を外部のパラメータ指示等により切り換え（通常／２倍加速／４倍加速／８倍加速）、常に適正な走査線駆動でエージング制御を行う。さらに電源制御部６は、パラメータの指定等に基づいて走査線駆動部３に供給する走査用駆動電圧（ＶＤｙ）の値を加減制御する。【選択図】図１
2006091788.tif 000002
【特許請求の範囲】
【請求項１】
ｍ本の走査線と、前記ｍ本の走査線に交差するｎ本の信号線と、前記ｍ本の走査線および前記ｎ本の信号線の各交差位置に配置され各々一対の走査線および信号線間の電圧に対応して駆動される電子放出素子および蛍光体を組にした複数の表示画素と、前記ｍ本の走査線を順次駆動する走査線駆動部と、前記ｎ本の信号線を駆動する信号線駆動部とを具備する表示デバイスのエージング装置に於いて、
前記ｍ本の走査線を前記走査線駆動部により複数本同時に並行して順次駆動させる制御手段を具備したことを特徴とする表示デバイスのエージング装置。
【請求項２】
前記走査線駆動部は前記走査線より少ないｋ個の走査線ドライバにより構成され、前記制御手段は、前記ｋ個の走査線ドライバを同時に並行して線順次で駆動させる請求項１記載の表示デバイスのエージング装置。
【請求項３】
前記走査線駆動部は前記走査線より少ないｋ個の走査線ドライバにより構成され、前記制御手段は、前記ｋ個の走査線ドライバをｊ個単位で同時に並行して線順次で駆動させる請求項１記載の表示デバイスのエージング装置。
【請求項４】
前記制御手段は、前記走査線駆動部が前記走査線に出力する駆動電圧をエージングの対象に応じて可変制御する手段を具備する請求項１乃至３のいずれか１項に記載の表示デバイスのエージング装置。
【請求項５】
ｍ本の走査線とｎ本の信号線の各交差位置に、電子放出素子と蛍光体を組にした表示画素をマトリクス状に配置した表示パネルのエージング装置であって、
前記ｍ本の走査線を当該走査線より少ないｋ個の走査線ドライバで順次駆動する走査線駆動手段と、
前記走査線駆動手段に対して前記ｋ個の走査線ドライバを同時に並行して駆動させる、若しくは前記ｋ個の走査線ドライバをｊ個単位で同時に並行して駆動させるエージング制御手段と
を具備したことを特徴とする表示パネルのエージング装置。
【請求項６】
ｍ本の走査線と、前記ｍ本の走査線に交差するｎ本の信号線と、前記ｍ本の走査線および前記ｎ本の信号線の各交差位置に配置され各々一対の走査線および信号線間の電圧に対応して駆動される電子放出素子および蛍光体を組にした複数の表示画素と、前記ｍ本の走査線を順次駆動する走査線駆動部と、前記ｎ本の信号線を駆動する信号線駆動部とを具備する表示デバイスのエージング方法に於いて、前記ｍ本の走査線を前記走査線駆動部により複数本同時に並行して順次駆動させることを特徴とする表示デバイスのエージング方法。
【請求項７】
前記走査線駆動部は前記ｍ本の走査線を当該走査線より少ないｋ個の走査線ドライバで順次駆動し、当該駆動時に、前記ｋ個の走査線ドライバを同時に並行して線順次で駆動させる特徴とする請求項６記載の表示デバイスのエージング方法。
【請求項８】
前記走査線駆動部は前記ｍ本の走査線を当該走査線より少ないｋ個の走査線ドライバで順次駆動し、当該駆動時に、前記ｋ個の走査線ドライバをｊ個単位で同時に並行して線順次で駆動させる特徴とする請求項６記載の表示デバイスのエージング方法。
【請求項９】
ｍ本の走査線とｎ本の信号線の各交差位置に、電子放出素子および蛍光体を組にした表示画素をマトリクス状に配置した表示パネルのエージング方法であって、
前記ｍ本の走査線を当該走査線より少ないｋ個の走査線ドライバで順次駆動する際に、前記ｋ個の走査線ドライバを同時に並行して駆動させる、若しくは前記ｋ個の走査線ドライバをｊ個単位で同時に並行して駆動させることを特徴とする表示パネルのエージング方法。
【発明の詳細な説明】
【技術分野】
【０００１】
本発明は、複数本の走査線および信号線の各交差位置に電子放出素子および蛍光体を組にした表示画素をマトリクス状に配置した表示パネルを具備する高精細の表示装置に適用して好適な表示デバイスのエージング装置、表示パネルのエージング装置、表示デバイスのエージング方法および表示パネルのエージング方法に関する。
【背景技術】
【０００２】
近年、偏平な平面パネル構造の画像表示装置として、液晶ディスプレイ（ＬＣＤ）、フィールドエミッションディスプレイ（ＦＥＤ）、プラズマディスプレイ（ＰＤＰ）等が知られている。また、ＦＥＤの一種として、表面伝導型の電子放出素子を備えたＳＥＤ（Surface-conduction Electron-emitter Display）の開発が進められている。
【０００３】
ＳＥＤは、所定の隙間を置いて対向配置された前面基板および背面基板を有する。これらの基板は、矩形枠状の側壁を介して周縁部を互いに接合され、内部を真空にされて偏平な平面パネル構造の真空外囲器を構成している。前面基板の内面には３色（Ｒ，Ｇ，Ｂ）の蛍光体層を有する蛍光体スクリーンが設けられ、背面基板の内面には、蛍光体層を励起発光させる電子の放出源として、画素毎に対応する多数の電子放出素子が整列配置されている。また、背面基板の内面上には、電子放出素子を駆動するための多数本の配線がマトリックス状に設けられ、その端部は真空外囲器の外部に引き出されている。
【０００４】
このＳＥＤを動作させる場合は、基板間に１０［ｋＶ］程度の高電圧（アノード電圧）を与え、配線に接続した駆動回路を介して各電子放出素子に選択的に駆動電圧を印加することにより、各電子放出素子から選択的に電子ビームが放出され、これら電子ビームが、対応する蛍光体層に照射され、蛍光体層が励起発光されてカラー画像が表示されるようになっている。この際、電子放出素子の電子放出部から放出された電子ビームは、蛍光体スクリーンのメタルバックに印加されたアノード電圧により加速され、蛍光体スクリーンの対応する蛍光体層に衝突する。これにより、蛍光体スクリーンの蛍光体層Ｒ、Ｇ、Ｂが励起されて発光し、カラー画像を表示する。
【特許文献１】特開２００２−２２１９３３号公報
【発明の開示】
【発明が解決しようとする課題】
【０００５】
ところで、上述のようなＳＥＤに於いては、気密封止された外囲器（真空外囲器）内に多数の電子放出素子および蛍光体でなる表示画素がマトリクス配置された構造であることから、表示画素を構成する電子放出素子および蛍光体を含めた種々の構成要素を対象にエージング（ａｇｉｎｇ）処理を行う必要があり、その各エージングに多くの時間を費やしていた。
【０００６】
例えば上記ＳＥＤの製造段階に於いて上記真空外囲器の内部に活性化ガスが残留すると、当該活性化ガスの影響により、動作初期の段階で、駆動した電子放出素子の放出電流が増加する現象がおき、駆動された電子放出素子と駆動されない電子放出素子との間に電流特性上のばらつきが生じるという問題が発生する。そこで表示パネルの駆動前に操作電圧と陽極電圧（アノード電圧）のみを印加して、上記電子放出素子の放出電流が安定するまでエージングを行う必要がある。このエージングは表示パネルを通常の同期信号に従う線順次で走査していた。
【０００７】
本発明の目的は、表示画素を構成する電子放出素子および蛍光体を含む各種構成要素のエージングを短時間に効率良く実施することのできる表示デバイスのエージング装置、表示パネルのエージング装置、表示デバイスのエージング方法および表示パネルのエージング方法を提供することにある。
【課題を解決するための手段】
【０００８】
本発明によれば、ｍ本の走査線と、前記ｍ本の走査線に交差するｎ本の信号線と、前記ｍ本の走査線および前記ｎ本の信号線の各交差位置に配置され各々一対の走査線および信号線間の電圧に対応して駆動される電子放出素子および蛍光体を組にした複数の表示画素と、前記ｍ本の走査線を順次駆動する走査線駆動部と、前記ｎ本の信号線を駆動する信号線駆動部とを具備する表示デバイスのエージング装置に於いて、前記ｍ本の走査線を前記走査線駆動部により複数本同時に並行して順次駆動させる制御手段を具備した表示デバイスのエージング装置が提供される。
【０００９】
また前記表示デバイスのエージング装置に於いて、前記走査線駆動部はｋ個の走査線ドライバにより構成され、前記制御手段は、前記ｋ個の走査線ドライバを同時に並行して順次駆動させる表示デバイスのエージング装置が提供される。
【００１０】
また前記表示デバイスのエージング装置に於いて、前記走査線駆動部はｋ個の走査線ドライバにより構成され、前記制御手段は、前記ｋ個の走査線ドライバをｊ個単位で同時に並行して線順次で駆動させる表示デバイスのエージング装置が提供される。
【００１１】
また本発明によれば、ｍ本の走査線とｎ本の信号線の各交差位置に、電子放出素子と蛍光体を組にした表示画素をマトリクス状に配置した表示パネルのエージング装置であって、前記ｍ本の走査線を当該走査線より少ないｋ個の走査線ドライバで順次駆動する走査線駆動手段と、前記走査線駆動手段に対して前記ｋ個の走査線ドライバを同時に並行して駆動させる、若しくは前記ｋ個の走査線ドライバをｊ個単位で同時に並行して駆動させるエージング制御手段とを具備した表示パネルのエージング装置が提供される。
【００１２】
また本発明によれば、ｍ本の走査線と、前記ｍ本の走査線に交差するｎ本の信号線と、前記ｍ本の走査線および前記ｎ本の信号線の各交差位置に配置され各々一対の走査線および信号線間の電圧に対応して駆動される電子放出素子および蛍光体を組にした複数の表示画素と、前記ｍ本の走査線を順次駆動する走査線駆動部と、前記ｎ本の信号線を駆動する信号線駆動部とを具備する表示デバイスのエージング方法に於いて、前記ｍ本の走査線を前記走査線駆動部により複数本同時に並行して順次駆動させる表示デバイスのエージング方法が提供される。
【００１３】
また前記表示デバイスのエージング方法に於いて、前記走査線駆動部は前記ｍ本の走査線を当該走査線より少ないｋ個の走査線ドライバで順次駆動し、当該駆動時に前記ｋ個の走査線ドライバを同時に並行して駆動させる表示デバイスのエージング方法が提供される。
【００１４】
また前記表示デバイスのエージング方法に於いて、前記走査線駆動部は前記ｍ本の走査線を当該走査線より少ないｋ個の走査線ドライバで順次駆動し、当該駆動時に前記ｋ個の走査線ドライバをｊ個単位で同時に並行して駆動させる表示デバイスのエージング方法が提供される。
【００１５】
また本発明によれば、ｍ本の走査線とｎ本の信号線の各交差位置に、電子放出素子および蛍光体を組にした表示画素をマトリクス状に配置した表示パネルのエージング方法であって、前記ｍ本の走査線を当該走査線より少ないｋ個の走査線ドライバで順次駆動する際に、前記ｋ個の走査線ドライバを同時に並行して駆動させる、若しくは前記ｋ個の走査線ドライバをｊ個単位で同時に並行して駆動させる表示パネルのエージング方法が提供される。
【発明の効果】
【００１６】
表示画素を構成する電子放出素子および蛍光体を含む各種構成要素のエージングを短時間に効率良く実施することができる。
【発明を実施するための最良の形態】
【００１７】
以下、本発明の実施形態に係るエージングの対象となる高精細表示デバイスについて添付図面を参照して説明する。ここではカラー表示画素数が横：縦＝１２８０：７２０というＸＧＡ解像度の電子放出素子を備えたＳＥＤを例に採る。
【００１８】
図１は上記高精細表示デバイスの回路構成を概略的に示す。この表示デバイスは、表示パネル１、信号線駆動部（Ｘドライバ）２、走査線駆動部（Ｙドライバ）３、入力信号処理回路５、電源制御部６等を備える。この実施形態では、マイクロプロセッサを備えた電源制御部６のプログラム制御機能により表示パネル１の各部エージング処理機能を実現している。このエージング処理については後述する。
【００１９】
表示パネル１は、横（水平）方向に配されたｍ（＝７２０）本の走査線Ｙ（Ｙ１〜Ｙｍ）と、これら走査線Ｙ１〜Ｙｍに交差して縦（垂直）方向に配されたｎ（＝１２８０×３）本の信号線Ｘ（Ｘ１〜Ｘｎ）と、これら走査線Ｙ１〜Ｙｍおよび信号線Ｘ１〜Ｘｎの交差位置近傍に配置されて表示画面を構成するｍ×ｎ（＝約２７６万）個の表示画素ＰＸとを支持基板上に有する。
【００２０】
各カラー表示画素は水平方向において隣接する３個の表示画素ＰＸにより構成される。このカラー表示画素では、３個の表示画素ＰＸがそれぞれ電子放出源となる電子放出素子１１およびこれら電子放出素子１１から放出される電子ビームにより発光する赤（Ｒ）、緑（Ｇ）、および青（Ｂ）の蛍光体１２により構成される。すなわち蛍光体スクリーンの各表示画素と電子放出源とは一対一に対応している。各走査線Ｙは対応行の表示画素ＰＸの電子放出素子１１に接続される走査電極として用いられ、各信号線Ｘは対応列の表示画素ＰＸの電子放出素子１１に接続される信号電極として用いられる。
【００２１】
信号線駆動部２、走査線駆動部３、入力信号処理回路５、および電源制御部６はそれぞれ表示パネル１に対する表示用駆動回路として用いられ、表示パネル１の周囲に配置される。信号線駆動部２はその駆動信号（駆動電圧）出力端が信号線Ｘ１〜Ｘｎに接続され、走査線駆動部３はその駆動信号（駆動電圧）出力端が走査線Ｙ１〜Ｙｍに接続される。
【００２２】
入力信号処理回路５は１水平ライン分の映像信号を一時記憶するラインメモリを有して外部の信号源から供給されるＲＧＢ映像信号および同期信号の入力処理を行う。入力信号処理回路５は上記ラインメモリに一時記憶した映像信号を信号線駆動部２に供給し、同期信号（垂直同期信号および水平同期信号）に従う動作タイミング信号を信号線駆動部２と走査線駆動部３に供給する。
【００２３】
電源制御部６は外部電源をもとに表示パネル１を含む表示デバイス全体の動作用電源を生成し供給制御するもので、マイクロプロセッサによるプログラム制御機能を有する。電源制御部６は表示パネル１の駆動用電源として、表示パネル１に、上述したアノード電圧に加え、信号線駆動部２および走査線駆動部３に駆動電圧（ＶＤｘ，ＶＤｙ）を供給する。信号線駆動部２には信号線Ｘ１〜Ｘｎを駆動するための信号用の駆動電圧（ＶＤｘ）を供給し、走査線駆動部３には走査線Ｙ１〜Ｙｍを駆動するための走査用の駆動電圧（ＶＤｙ）を供給する。また後述するエージング処理時に於いては、例えばパラメータで指定されたエージングの種類（エージングモード）に応じて走査用駆動電圧（ＶＤｙ）の値を加減制御する。
【００２４】
走査線駆動部３は上記電源制御部６から供給された走査用の駆動電圧（ＶＤｙ）と上記入力信号処理回路５から入力した動作タイミング信号とをもとに走査線Ｙ１〜Ｙｍを順次駆動し、信号線駆動部２は上記電源制御部６から供給された信号用の駆動電圧（ＶＤｘ）と上記入力信号処理回路５から入力した１水平ライン分の映像信号および動作タイミング信号とをもとに、走査線Ｙ１〜Ｙｍの各々が走査線駆動部３によって駆動される間に入力信号処理回路５から出力される１水平ライン分の映像信号に対応して信号線Ｘ１〜Ｘｎを駆動する。尚、上記信号線駆動部２は、映像信号に従い電位が変化する信号を駆動電圧（ＶＤｘ）として出力する構成と、映像信号の階調に従うパルス幅の駆動電圧（ＶＤｘ）を出力する構成とがあるが、本発明はそのいずれの構成に於いても適用可能である。
【００２５】
電源制御部６は、表示デバイスの起動（パワーオン）時に於いて、同デバイスの各コンポーネントを駆動する動作用電源を生成し、生成した動作用電源をデバイス内の各コンポーネントに供給制御する。電源制御部６は表示パネル１の駆動用電源として、表示パネル１に、上述したアノード電圧に加え、信号線駆動部２および走査線駆動部３に駆動電圧（ＶＤｘ，ＶＤｙ）を供給する。この際、走査線駆動部３には、例えば１０Ｖ程度の走査用駆動電圧（ＶＤｙ）を供給する。走査線駆動部３は上記電源制御部６から供給された走査用の駆動電圧（ＶＤｙ）と上記入力信号処理回路５から入力した動作タイミング信号とをもとに走査線Ｙ１〜Ｙｍを順次駆動し、信号線駆動部２は上記電源制御部６から供給された信号用の駆動電圧（ＶＤｘ）と上記入力信号処理回路５から入力した１水平ライン分の映像信号および動作タイミング信号とをもとに、走査線Ｙ１〜Ｙｍの各々が走査線駆動部３によって駆動される間に入力信号処理回路５から出力される１水平ライン分の映像信号に対応して信号線Ｘ１〜Ｘｎを駆動する。これにより、表示パネル１には、例えば外部の信号源から供給されるＲＧＢ映像信号に従う横×縦比が１２８０×７２０のカラー表示画素でなるＸＧＡ解像度の表示画像が表示される。
【００２６】
上記した表示パネル１の構成例を図２に示している。図２はＳＥＤに於ける表示パネル１の要部の構成要素を示したもので、ＳＥＤの表示パネル１を構成する真空外囲器は、表示面となる前面基板１０Ａと電子放出側となる背面基板１０Ｂとを有する。この前面基板１０Ａおよび背面基板１０Ｂは、それぞれ矩形のガラス板により構成される。前面基板１０Ａと背面基板１０Ｂは約１．０〜２．０ｍｍの隙間をおいて互いに平行に対向配置されている。前面基板１０Ａおよび背面基板１０Ｂは、図示しないガラスからなる矩形枠状の側壁を介して周縁部同志が接合され、内部が真空の扁平な平面パネル構造の真空外囲器を構成している。
【００２７】
前面基板１０Ａの内面には画像表示面として機能する蛍光体スクリーン１２Ａが形成されている。この蛍光体スクリーン１２Ａは、赤、青、緑の蛍光体層Ｒ、Ｇ、Ｂ、および遮光層Ｓを並べて構成され、これらの蛍光体層はストライプ状あるいはドット状に形成されている。また、蛍光体スクリーン１２上には、アルミニウム等からなるメタルバック１４が形成されている。
【００２８】
背面基板１０Ｂの内面には、蛍光体スクリーン１２Ａの蛍光体層Ｒ、Ｇ、Ｂを励起発光させるための電子を放出する電子放出源として、それぞれ電子ビームを放出する多数の表面伝導型の電子放出素子１１が設けられている。これらの電子放出素子１１は、画素毎、すなわち蛍光体層Ｒ、Ｇ、Ｂ毎に対応して複数列および複数行に配列されている。各電子放出素子１１は、図示しない電子放出部、この電子放出部に電圧を印加する一対の素子電極等で構成されている。また、背面基板１０Ｂの内面上には、各電子放出素子１１に駆動電圧を与えるための多数本の配線Ｃがマトリックス状に設けられ、その端部は真空外囲器の外部に引き出されている。前面基板１０Ａと背面基板１０Ｂとの間には、薄いガラス板を用いたスペーサＳＰが複数配設される。これら複数のスペーサＳＰは、前面基板１０Ａおよび背面基板１０Ｂの外側から作用する大気圧荷重を支持し、基板間の間隔を所定値に維持している。前面基板１０Ａに設けられたメタルバック１４と背面基板１０Ｂとの間にアノード電圧を印加する図示しない電圧供給部を備えている。電圧供給部は、例えば、背面基板１０Ｂの電位を０Ｖに設定し、メタルバック１４の電位を１０ｋＶ程度の高電圧にするよう、背面基板１０Ｂに対しメタルバック１４にアノード電圧を印加する。
【００２９】
上記ＳＥＤの表示パネル１において、画像を表示する場合、配線Ｃに接続した図示しない駆動回路を介して電子放出素子１１の素子電極間に所定の駆動電圧を与え、任意の電子放出素子１１の電子放出部から電子ビームを放出するとともに、メタルバック１４にアノード電圧を印加する。電子放出素子１１の電子放出部から放出された電子ビームは、アノード電圧により加速され、蛍光体スクリーン１２Ａの対応する蛍光体層に衝突する。これにより、蛍光体スクリーン１２Ａの蛍光体層Ｒ、Ｇ、Ｂが励起されて発光し、カラー画像を表示する。尚、この際、表示パネル１に表示されるカラー画像の各階調は配線電圧に含まれる、映像信号に従いパルス変調された信号用駆動電圧の幅（パルス幅）、若しくは配線電圧の値で決まる。
【００３０】
また上記電源制御部６は、プログラム制御による表示パネル１のエージング処理機能を有し、表示パネル１の高速エージング処理機能を実現している。この電源制御部６により実行されるエージング処理では、走査線駆動部３の走査線駆動タイミングをエージング処理内容により、許容される範囲内で高速化し、これによってエージング処理の所要時間を短縮してエージングの効率化を図っている。電源制御部６は、例えば外部よりパラメータで与えられるエージングモードに従い、走査線駆動部３から表示パネル１の走査線Ｙへ出力される駆動電圧の単位時間当たりの印加回数（駆動電圧印加回数）を制御する。さらに電源制御部６は上述したようにエージング処理時に於いて、例えばパラメータで指定されたエージングモードに応じて走査用駆動電圧（ＶＤｙ）の値を加減制御する。
【００３１】
図３には本実施形態に於ける走査線駆動部３の構成と、通常動作時の、すなわち通常のエージング処理の際の走査線駆動例が示されている。ここでは、図３（ａ）に示すように走査線駆動部３が８個の走査線ドライバ（ＤＲＶ（１）〜ＤＲＶ（８））３ａ，３ｂ，…３ｈにより構成される。この各走査線ドライバ３ａ，３ｂ，…３ｈは、電源制御部６から走査用の駆動電圧（ＶＤｙ）と、複数ビット（ｉ）の制御信号（ＣＣ）とを入力する。制御信号（ＣＣ）は上記パラメータをもとに電源制御部６で生成され走査線駆動部３に供給される。この制御信号（ＣＣ）により上記エージングモードに応じて上記走査線駆動部３から表示パネル１の走査線Ｙへ出力される駆動電圧（走査線駆動パルスＩＰ）の単位時間当たりの印加回数（駆動電圧印加回数）が制御される。ここでは表示パネル１に配線された走査線Ｙ（Ｙ０〜Ｙｍ）を７２０本の走査線Ｌ０〜Ｌ７１９で表している。従ってこの例では各走査線ドライバがそれぞれ９０本の走査線を順次駆動し次段のドライバに引き継がせる構成としている。
【００３２】
図３は上記駆動電圧印加回数を「６０回／秒」としたエージング処理時の走査例を示している。
【００３３】
この際は、１フレームの走査開始毎に、一つの走査線ドライバ（ＤＲＶ（１））３ａのみから走査線駆動パルスＩＰが出力され、当該走査線駆動パルスＩＰが１フレームの走査期間に於いて線順次で各走査線Ｌ０〜Ｌ７１９上に出力される。この様子を図３（ａ）乃至（ｃ）に示し、当該走査駆動時に於けるエージング処理タイミングを同図（ｄ）に示している。図３（ａ）は１フレームの走査開始時に於ける走査線駆動パルスＩＰの出力状態を示したもので、ここでは１フレームの走査開始時に走査線ドライバ（ＤＲＶ（１））３ａから走査線Ｌ０に走査線駆動パルスＩＰが出力される状態を太線で示している。図３（ｂ）には１フレーム周期毎に各走査線Ｌ０〜Ｌ７１９上に出力される走査線駆動パルスＩＰの個数（ここでは１個）を示している。図３（ｃ）には上記走査線Ｌ０の駆動に伴う表示パネル１上のライン走査状態をラインＬａで示している。図３（ｄ）にはエージングの開始（aging start）から終了（ts）までのエージング所要時間が示されている。ここでは上述した電子放出素子の放出電流が不安定（unstable）状態から安定（stable）状態に移行するまでのエージング処理にts時間が必要であることを示している。
【００３４】
図４は上記駆動電圧印加回数を上記図３に示すエージング処理の２倍の「１２０回／秒」としたエージング処理時の走査例を示している。
【００３５】
この際は、１フレームの走査開始毎に、二つの走査線ドライバ（ＤＲＶ（１））３ａ，（ＤＲＶ（５））３ｅから同時に並行して各々走査線駆動パルスＩＰが出力され、当該各走査線駆動パルスＩＰがそれぞれ１フレームの走査期間に於いて線順次で各走査線Ｌ０〜Ｌ７１９上に出力される。この様子を図４（ａ）乃至（ｃ）に示し、当該走査駆動時に於けるエージング処理タイミングを同図（ｄ）に示している。図４（ａ）は１フレームの走査開始時に於ける走査線駆動パルスＩＰの出力状態を示したもので、ここでは、１フレームの走査開始時に、走査線ドライバ（ＤＲＶ（１））３ａから走査線Ｌ０上に走査線駆動パルスＩＰが出力されるとともに、走査線ドライバ（ＤＲＶ（５））３ｅから走査線Ｌ３６０上に走査線駆動パルスＩＰが出力される。この状態を図４（ａ）に太線で示している。図４（ｂ）には１フレーム周期毎に各走査線Ｌ０〜Ｌ７１９上に出力される走査線駆動パルスＩＰの個数（ここでは２個）を示している。図４（ｃ）には上記走査線Ｌ０および走査線Ｌ３６０上での同時駆動に伴う表示パネル１上のライン走査状態をラインＬａ，Ｌｂで示している。図４（ｄ）にはエージングの開始（aging start）から終了（ts）までのエージング所要時間が示されている。ここでは上述した電子放出素子の放出電流が不安定（unstable）状態から安定（stable）状態に移行するまでのエージング処理に要する時間（エージング所要時間）が上記図３に示すエージング処理の所要時間（ts）時間に対してほぼ１／２に短縮されていることを示している。
【００３６】
図５は上記駆動電圧印加回数を上記図３に示すエージング処理の４倍の「２４０回／秒」としたエージング処理時の走査例を示している。
【００３７】
この際は、１フレームの走査開始毎に、四つの走査線ドライバ（ＤＲＶ（１））３ａ，（ＤＲＶ（３））３ｃ，（ＤＲＶ（５））３ｅ，（ＤＲＶ（７））３ｇから同時に並行して各々走査線駆動パルスＩＰが出力され、当該四つの各走査線駆動パルスＩＰがそれぞれ１フレームの走査期間に於いて線順次で各走査線Ｌ０〜Ｌ７１９上に出力される。この様子を図５（ａ）乃至（ｃ）に示し、当該走査駆動時に於けるエージング処理タイミングを同図（ｄ）に示している。図５（ａ）は１フレームの走査開始時に於ける走査線駆動パルスＩＰの出力状態を示したもので、ここでは、１フレームの走査開始時に、走査線ドライバ（ＤＲＶ（１））３ａから走査線Ｌ０上に走査線駆動パルスＩＰが出力され、これと並行して走査線ドライバ（ＤＲＶ（３））３ｃから走査線Ｌ１８０上に走査線駆動パルスＩＰが出力され、これと並行して走査線ドライバ（ＤＲＶ（５））３ｅから走査線Ｌ３６０上に走査線駆動パルスＩＰが出力され、さらにこれと並行して走査線ドライバ（ＤＲＶ（７））３ｇから走査線Ｌ５４０上に走査線駆動パルスＩＰが出力される。この状態を図５（ａ）に太線で示している。図５（ｂ）には１フレーム周期毎に各走査線Ｌ０〜Ｌ７１９上に出力される走査線駆動パルスＩＰの個数（ここでは４個）を示している。図５（ｃ）には上記走査線Ｌ０，Ｌ１８０，Ｌ３６０，およびＬ５４０上での同時駆動に伴う表示パネル１上のライン走査状態をラインＬａ，Ｌｂ，Ｌｃ，Ｌｄで示している。図５（ｄ）にはエージングの開始（aging start）から終了（ts）までのエージング所要時間が示されている。ここでは上述した電子放出素子の放出電流が不安定（unstable）状態から安定（stable）状態に移行するまでのエージング処理に要する時間（エージング所要時間）が上記図３に示すエージング処理の所要時間（ts）時間に対してほぼ１／４に短縮されていることを示している。
【００３８】
図６は上記駆動電圧印加回数を上記図３に示すエージング処理の８倍の「４８０回／秒」としたエージング処理時の走査例を示している。
【００３９】
この際は、１フレームの走査開始毎に、８個の各走査線ドライバ（ＤＲＶ（１）〜ＤＲＶ（８））３ａ，３ｂ，…３ｈから同時に並行して各々走査線駆動パルスＩＰが出力され、当該八つの各走査線駆動パルスＩＰがそれぞれ１フレームの走査期間に於いて線順次で各走査線Ｌ０〜Ｌ７１９上に出力される。この様子を図６（ａ）乃至（ｃ）に示し、当該走査駆動時に於けるエージング処理タイミングを同図（ｄ）に示している。図６（ａ）は１フレームの走査開始時に於ける走査線駆動パルスＩＰの出力状態を示したもので、ここでは、１フレームの走査開始時に、すべての走査線ドライバ（ＤＲＶ（１）〜ＤＲＶ（８））３ａ，３ｂ，…３ｈから走査線Ｌ０，Ｌ９０，Ｌ１８０，Ｌ２７０，Ｌ３６０，Ｌ４５０，Ｌ５４０，Ｌ６３０上にそれぞれ同時に並行して走査線駆動パルスＩＰが出力される。この状態を図６（ａ）に太線で示している。図６（ｂ）には１フレーム周期毎に各走査線Ｌ０〜Ｌ７１９上に出力される走査線駆動パルスＩＰの個数（ここでは８個）を示している。図６（ｃ）には上記走査線Ｌ０，Ｌ９０，Ｌ１８０，Ｌ２７０，Ｌ３６０，Ｌ４５０，Ｌ５４０およびＬ６３０上での同時駆動に伴う表示パネル１上のライン走査状態をラインＬａ〜Ｌｈで示している。図６（ｄ）にはエージングの開始（aging start）から終了（ts）までのエージング所要時間が示されている。ここでは上述した電子放出素子の放出電流が不安定（unstable）状態から安定（stable）状態に移行するまでのエージング処理に要する時間（エージング所要時間）が上記図３に示すエージング処理の所要時間（ts）時間に対してほぼ１／８に短縮されていることを示している。
【００４０】
このようにして、電源制御部６は、制御信号（ＣＣ）により走査線駆動部３のを制御して、各種エージングモード（通常／２倍加速／４倍加速／８倍加速）の中から外部の指示（例えばパラメータ指示）に従うエージングモードの走査線駆動制御を実行する。さらに電源制御部６は、パラメータの指定等に基づいて走査線駆動部３に供給する走査用駆動電圧（ＶＤｙ）の値を加減制御することも可能である。
【００４１】
上記した実施形態のエージング処理機能を備えることで、表示画素を構成する電子放出素子および蛍光体を含む各種構成要素のエージングを短時間に効率良く実施することができる。
【００４２】
なお、上述した実施形態ではＳＥＤを対象にエージングを行う場合を例に説明したが、ＳＥＤに限らず、例えばＦＥＤ等、他の画像表示装置のエージング、表示パネル単体でのエージング等に於いても容易に本発明のエージング処理機構を適用可能である。また本発明は上述した実施の形態そのままに限定されるものではなく、実施段階では本発明の要旨を逸脱しない範囲で構成要素を変形して具体化できる。
【図面の簡単な説明】
【００４３】
【図１】本発明の実施形態に係る表示装置の構成を示すブロック図。
【図２】上記実施形態に於ける表示パネルの要部の構成を示す断面図。
【図３】上記実施形態に於けるエージングの動作説明図。
【図４】上記実施形態に於けるエージングの動作説明図。
【図５】上記実施形態に於けるエージングの動作説明図。
【図６】上記実施形態に於けるエージングの動作説明図。
【符号の説明】
【００４４】
１…表示パネル、２…信号線駆動部、３…走査線駆動部、３ａ，３ｂ，…３ｈ…走査線ドライバ（ＤＲＶ（１）〜ＤＲＶ（８））、５…入力信号処理回路、６…電源制御部、１０Ａ…前面基板、１０Ｂ…背面基板、１１…表面伝導型電子放出素子、１２…蛍光体、１２Ａ…蛍光体スクリーン、１４…メタルバック、ＩＰ…走査線駆動パルス（走査線駆動電圧）、ＣＣ…制御信号、Ｘ…信号線、Ｙ…走査線、ＰＸ…表示画素。
【図１】
2006091788.tif 000003
【図２】
2006091788.tif 000004
【図３】
2006091788.tif 000005
【図４】
2006091788.tif 000006
【図５】
2006091788.tif 000007
【図６】
2006091788.tif 000008